(57)【要約】【課題】消費者にとって意外性があり、広告効果の高い広告表示体を提供する。【解決手段】広告表示体３０は、ケーシング３１と画像反射体３３から構成される。ケーシング３１は、内部に画像表示装置３５を格納する。ケーシング３１は、上面部３１ａに窓部３１ｂを有する。画像表示装置３５は、ケーシング３１の上面部３１ａの部分が表示面となるように設置し、ケーシング３１の窓部３１ｂと対向する画素範囲内にアナモルフォシス画像を表示する。ケーシング３１の上面部３１ａに載せられる画像反射体３３は円柱状で、側面部３３ｂは鏡となっていて、ケーシング３１の窓部３１ｂを通過するアナモルフォシス画像の正則画像を映す。【選択図】図１０
2011085884.tif 000002
【特許請求の範囲】
【請求項１】
店頭において商品を宣伝するための広告表示体であって、
一部の画素範囲内に画像を表示する画像表示装置と、
前記画像表示装置を遮る遮蔽物と、
を備えることを特徴とする広告表示体。
【請求項２】
前記遮蔽物は、内部に前記画像表示装置を格納するケーシングであり、
前記ケーシングは、前記一部の画素範囲内と対向する領域に窓部が設けられたものであり、
前記窓部を通過する画像を反射する画像反射体を更に備えることを特徴とする請求項１に記載の広告表示体。
【請求項３】
前記ケーシングを支持する支持体を更に備え、
前記画像反射体は、平面形状であって、前記支持体の前面部に設けられ、
前記画像表示装置は、前記ケーシングの下面側が表示面となるように設置され、消費者に見せたい画像の逆像を表示することを特徴とする請求項２に記載の広告表示体。
【請求項４】
前記画像反射体は、水平面に対する傾斜角度を調整する手段を備えることを特徴とする請求項３に記載の広告表示体。
【請求項５】
前記画像反射体は、円柱形状であって、前記ケーシングの上面部に設けられ、
前記画像表示装置は、前記ケーシングの上面側が表示面となるように設置され、消費者に見せたい画像のアナモルフォシス画像を表示することを特徴とする請求項２に記載の広告表示体。
【請求項６】
前記遮蔽物は、内部に前記画像表示装置を格納するケーシングであり、
前記ケーシングの正面部は、窓部が設けられたものであり、
前記画像表示装置に表示される画像を前記窓部から観測される方向に反射する第１の画像反射体と、前記画像表示装置に表示される画像を前記窓部から観測される方向に反射するとともに、前記第１の画像反射体が反射する画像を透過する第２の画像反射体と、を更に備えることを特徴とする請求項１に記載の広告表示体。
【請求項７】
前記第１の画像反射体および前記第２の画像反射体の水平面に対する傾斜角度を略同一となるように調整する手段、を更に備えることを特徴とする請求項６に記載の広告表示体。
【請求項８】
前記遮蔽物は、複数の窓部が設けられた看板であり、
前記画像表示装置は、前記看板の背面部において前記複数の窓部の全てに対向するように設置され、消費者に見せたい画像を前記窓部に対向する領域の画素範囲内に表示することを特徴とする請求項１に記載の広告表示体。
【発明の詳細な説明】
【技術分野】
【０００１】
本発明は、店頭において商品を宣伝するための広告表示体に関する。
【背景技術】
【０００２】
一般に、販売店の店頭にて商品の販売を行う場合、新商品や特売品等についてはポスターや看板のような印刷物を商品の陳列棚の前面に掲げたり、半透過性の印刷物の背後から蛍光灯等の光源により印刷物をライトアップしたりすることにより、商品の広告が行われている。
このような方法では、広告内容を変更するためにはポスター、看板等の印刷物自体を変更しなければならないため、準備に時間がかかってしまい、また、修正が発生した場合の迅速な対応が困難である等の問題がある。
【０００３】
そこで、最近では、静止画または動画などの画像信号を表示するフラットパネル等の画像表示装置を用いた広告表示体が使用されている。
特許文献１では、静止画像用又はテレビ画像用の小型電子画像表示装置の画像表示パネルと対向する部位に窓孔部を孔設し、広告表示を施した表示プレートを前面側に設けた広告表示体が記載されている。
【先行技術文献】
【特許文献】
【０００４】
【特許文献１】特開平０７−１３４５５５号公報
【発明の概要】
【発明が解決しようとする課題】
【０００５】
しかしながら、特許文献１に記載の広告方法では、画像表示パネル全体が窓孔部から見えているので、消費者はすぐに画像表示装置を用いていることを認識し、何ら意外性がない。従って、消費者の注目を集めることができず、ひいては高い広告効果を得られることはできない。
【０００６】
本発明は、このような問題に鑑みてなされたもので、その目的とするところは、消費者にとって意外性があり、広告効果の高い広告表示体を提供することである。
【課題を解決するための手段】
【０００７】
前述した目的を達成するために、本発明は、店頭において商品を宣伝するための広告表示体であって、一部の画素範囲内に画像を表示する画像表示装置と、前記画像表示装置を遮る遮蔽物と、を備えることを特徴とする広告表示体である。本発明の広告表示体は、画像が表示されている原理をすぐには理解できず、消費者に意外性を感じさせることができ、広告効果が高い。
【０００８】
本発明における前記遮蔽物は、内部に前記画像表示装置を格納するケーシングであり、前記ケーシングは、前記一部の画素範囲内と対向する領域に窓部が設けられたものであり、前記窓部を通過する画像を反射する画像反射体を更に備えることが望ましい。画像表示装置が消費者から観測されないので、消費者は画像反射体に画像が表示されている原理をすぐには理解できず、消費者に意外性を感じさせることができ、広告効果が高い。
【０００９】
本発明の広告表示体は、例えば、前記ケーシングを支持する支持体を更に備え、前記画像反射体は、平面形状であって、前記支持体の前面部に設けられ、前記画像表示装置は、前記ケーシングの下面側が表示面となるように設置され、消費者に見せたい画像の逆像を表示するようにしても良い。この場合、前記画像反射体は、水平面に対する傾斜角度を調整する手段を備えることが望ましい。これによって、広告表示体を設置する高さに合わせて、画像反射体に映される画像を消費者に見易くすることができる。
【００１０】
また、本発明の広告表示体は、例えば、前記画像反射体は、円柱形状であって、前記ケーシングの上面部に設けられ、前記画像表示装置は、前記ケーシングの上面側が表示面となるように設置され、消費者に見せたい画像のアナモルフォシス画像を表示するようにしても良い。消費者がアナモルフォシス画像と画像反射体に映される画像を対比して観測することで、消費者に対して強い印象を与えることができる。
【００１１】
また、本発明の広告表示体は、例えば、前記遮蔽物は、内部に前記画像表示装置を格納するケーシングであり、前記ケーシングの正面部は、窓部が設けられたものであり、前記画像表示装置に表示される画像を前記窓部から観測される方向に反射する第１の画像反射体と、前記画像表示装置に表示される画像を前記窓部から観測される方向に反射するとともに、前記第１の画像反射体が反射する画像を透過する第２の画像反射体と、を更に備えるようにしても良い。これによって、窓部から観測される画像は、奥行き感のある画像となる。
この場合、前記第１の画像反射体および前記第２の画像反射体の水平面に対する傾斜角度を略同一となるように調整する手段、を更に備えることが望ましい。これによって、広告表示体を設置する高さに合わせて、窓部から観測される画像を消費者に見易くすることができる。
【００１２】
また、本発明の広告表示体は、例えば、前記遮蔽物は、複数の窓部が設けられた看板であり、前記画像表示装置は、前記看板の背面部において前記複数の窓部の全てに対向するように設置され、消費者に見せたい画像を前記窓部に対向する領域の画素範囲内に表示するようにしても良い。
【発明の効果】
【００１３】
本発明により、消費者にとって意外性があり、広告効果の高い広告表示体を提供することができる。
【図面の簡単な説明】
【００１４】
【図１】本発明に係る第１の実施形態の広告表示体１の概要を示す図
【図２】広告表示体１を看板３の背面部３ｂ側から見た図
【図３】広告表示体１による広告表示の一例を示す図
【図４】本発明に係る第２の実施形態の広告表示体１０の概要を示す図
【図５】広告表示体１０の図４のＡ−Ａの線での断面図
【図６】広告表示体１０を背面部１３ｅから見た図
【図７】広告表示体１０の支持体１１の一例を示す図
【図８】商品に広告表示体１０を横置きに設置した図
【図９】商品に広告表示体１０を縦置きに設置した図
【図１０】本発明に係る第３の実施形態の広告表示体３０の概要を示す図
【図１１】広告表示体３０を正面から見た図
【図１２】広告表示体３０の図１１のＢ−Ｂの線での断面図
【図１３】本発明に係る第４の実施形態の広告表示体４０の概要を示す図
【図１４】広告表示体４０の図１３のＡ−Ａの線での断面図
【図１５】広告表示体４０を背面部４９から見た図
【図１６】広告表示体４０の傾斜角度調整機構の一例を示す図
【図１７】広告表示体４０ａの図１３のＡ−Ａの線での断面図
【発明を実施するための形態】
【００１５】
以下、図面に基づいて本発明に係る広告表示体の実施形態を詳細に説明する。
最初に、図１、２、３を参照しながら、本発明に係る第１の実施形態の広告表示体１について説明する。
図１は、本発明に係る第１の実施形態の広告表示体１の概要を示す図、図２は、広告表示体１を看板３の背面部３ｂ側から見た図、図３は、広告表示体１による広告表示の一例を示す図である。
【００１６】
図１に示すように、広告表示体１は、看板３と、画像表示装置５を有する。
看板３は、例えば、前面部３ａに等身大の人を描いた看板で、貫通孔である窓部３ｃ、３ｄ、３ｅが設けられる。窓部３ｃ、３ｄ、３ｅは、例えば、吹き出しのような形状である。窓部３ｃ、３ｄ、３ｅのそれぞれの大きさは、画像表示装置５の表示面の大きさよりも小さい。広告表示体１を正面から見ると、窓部３ｃ、３ｄ、３ｅから画像表装置５上に表示される画像が観測される。消費者は、画像表示装置５の表示面の一部しか見えないので、どのように画像が表示されているのかすぐには理解できず、意外性を感じる。看板３は、消費者が正面から広告表示体１を見たときに、画像表示装置５全体が見えないようにするための遮蔽物の役割を果たす。
【００１７】
画像表示装置５は、液晶ディスプレイ、プラズマディスプレイ、有機ＥＬ（Ｅｌｅｃｔｒｏ−Ｌｕｍｉｎｅｓｃｅｎｃｅ）ディスプレイ等の既存の薄型の画像表示装置で、音声出力機能を有することが好ましい。画像表示装置５で出力する画像、音声は、ＤＶＤ（Ｄｉｇｉｔａｌ  Ｖｅｒｓａｔｉｌｅ  Ｄｉｓｃ）やＵＳＢ（Ｕｎｉｖｅｒｓａｌ  Ｓｅｒｉａｌ  Ｂｕｓ）メモリ等に記憶しておいてもよいし、無線ＬＡＮ等によりネット配信するようにしてもよい。
【００１８】
図２に示すように、画像表示装置５は、看板３の背面部３側に設置台７の上に固定して設置される。画像表示装置５は、表示面が看板３の窓部３ｃ、３ｄ、３ｅの全ての領域に対向するように設置される。消費者がどの角度から広告表示体１を見ても画像表示装置５の画像が良く観測できるように、画像表示装置５と看板３は隙間なく平行に配置する。例えば、看板３が鉛直方向に対して傾いている場合、画像表装置５も同じ角度で傾けて設置する。
【００１９】
図３に示すように、画像表示装置５は、窓部３ｃ、３ｄ、３ｅのいずれかの領域に対向する画素範囲内に、音声と共に順次画像を表示する。例えば、（ａ）に示すように、窓部３ｃの領域に対向する画素範囲内に「性能バツグン！」と表示し、商品の性能に関する説明の音声を出力する。その後、（ｂ）に示すように、窓部３ｄの領域に対向する画素範囲内に「音が静か！」と表示し、商品の音に関する説明の音声を出力する。そして、（ｃ）に示すように、窓部３ｅの領域に対向する画素範囲内に「電気代がお得！」と表示し、商品の電気代に関する説明の音声を出力する、という処理を繰り返す。このように、もぐらたたきゲームのようにメッセージを表示することで、消費者は意外性を感じて広告表示体１に注目する。そして、消費者は、次にどの窓部からメッセージが表示されるのかを目で追うようになり、ひいては商品の宣伝にも注目する。
【００２０】
尚、画像表示装置５が窓部３ｃ、３ｄ、３ｅのいずれかの領域に対向する画素範囲内に表示する画像は毎回同じでもよいし、異なる画像を表示するようにしてもよい。また、複数の窓部３ｃ、３ｄ、３ｅの領域に対向する画素範囲内に同時に画像を表示するようにしてもよい。
【００２１】
以上説明したように、本発明の第１の実施形態の広告表示体１は、窓部３ｃ、３ｄ、３ｅが設けられた看板３の背面に画像表示装置５を設置し、消費者が画像表示装置５全体は見えないように構成したので、消費者がどのように画像が表示されているのかをすぐには理解できず、消費者に意外性を与えることができる。また、もぐらたたきゲームのように画像と音声を切り替えながら見せる広告表示を行うので、消費者からの注目を集めることができ、大きな広告効果が得られる。また、画像表装置５に出力する画像、音声は容易に変更できるので、陳列する商品が変わった場合も容易に対応することができる。また、看板３に設けられた窓部３ｃ、３ｄ、３ｅに合わせて複数の小型画像表示装置を用いるのではなく、既存の画像表示装置５を一つだけ用いるので、コストを抑えることができる。
【００２２】
次に、図４、５、６、７、８、９を参照しながら、本発明に係る第２の実施形態の広告表示体１０について説明する。
図４は、本発明に係る第２の実施形態の広告表示体１０の概要を示す図、図５は、広告表示体１０の図４のＡ−Ａの線での断面図、図６は、広告表示体１０を背面部１３ｅから見た図、図７は、広告表示体１０の支持体１１の一例を示す図、図８は、商品に広告表示体１０を横置きに設置した図、図９は、商品に広告表示体１０を縦置きに設置した図である。
【００２３】
図４、５に示すように、広告表示体１０は、支持体１１とケーシング１３から構成される。ケーシング１３は、内部に画像表示装置１９とファン２１を格納する。画像表示装置１９とファン２１は、ケーシング１３の内部に固定される。ケーシング１３の上面部１３ａには商品を設置する場合もあるので、ケーシング１３は十分な耐荷重を持つ材料で形成されることが望ましい。図示はしていないが、ケーシング１３は、画像表示装置１９とファン２１の電源ケーブルなどを通す貫通孔を有する。ケーシング１３の上面部１３ａ、正面部１３ｂおよび側面部は、開口部のない板状部材である。これによって、消費者は、ケーシング１３の内部に格納されている画像表示装置１９を観測することができない。一方、ケーシング１３の下面部１３ｃの正面部１３ｂ側は、部材で覆われていない開口部１３ｄとなっている。開口部１３ｄは、支持体１１と接していない領域であり、例えば矩形領域である。
ケーシング１３は、消費者が正面から広告表示体１０を見たときに、画像表示装置１９を見えないようにするための遮蔽物の役割を果たす。
【００２４】
画像表示装置１９は、液晶ディスプレイ、プラズマディスプレイ、有機ＥＬディスプレイ等の既存の薄型の画像表示装置で、ケーシング１３の下面部１３ｃ側が表示面となるように設置する。画像表示装置１９で出力する画像、音声は、ＤＶＤやＵＳＢメモリ等に記憶しておいてもよいし、無線ＬＡＮ等によりネット配信するようにしてもよい。
【００２５】
画像表示装置１９の放熱のため、ケーシング１３内にファン２１を設置し、図６に示すように、空気の通り道としてケーシング１３の背面部１３ｅには多数のスリット１３ｆを設ける。
【００２６】
支持体１１は、ケーシング１３を支持する。ケーシング１３の上面部１３ａには商品を設置する場合もあるので、支持体１１は十分な耐荷重を持つ材料で形成されることが望ましい。支持体１１の前面部１１ａは、水平面に対して下方が正面側に位置するように傾斜している。支持体１１の前面部１１ａの傾斜角度（水平面に対する角度）は、例えば、１５度〜４５度程度である。
支持体１１の前面部１１ａには、鏡等の画像反射体１５が装着される。画像反射体１５は、平面形状である。
【００２７】
画像表示装置１９は、消費者に見せたい画像の逆像を表示する。画像表示装置１９に表示される画像は、ケーシング１３の開口部１３ｄを通過して画像反射体１５に反射される。広告表示体１０を正面から見ると、画像反射体１５によって反射される鏡像が観測される。画像反射体１５によって反射される鏡像は、消費者に見せたい画像となる。
【００２８】
図４に示す例では、「省エネ５０％実現」の文字が消費者に見せたい画像であることから、画像表示装置１９は、「省エネ５０％実現」を反転した文字（逆像）を表示する。消費者が広告表示体１０を正面から見ると、図４に示すように「省エネ５０％実現」の文字を観測することができる。
【００２９】
また、画像表示装置１９は、消費者に見せたい画像の逆像を画面上で移動させながら表示するようにしても良い。この場合、広告表示体１０を正面から見た消費者は、画像が画像反射体１５を移動していく様子を観測することができる。
【００３０】
前述の通り、画像表示装置１９はケーシング１３の内部に格納され、ケーシング１３の上面部１３ａ、正面部１３ｂおよび側面部は、開口部のない板状部材で構成されるので、消費者は画像表示装置１９を観測することができない。従って、広告表示体１０を見た消費者は、画像が画像反射体１５に表示されている原理をすぐに理解できず、意外性を感じる。そして、消費者は広告表示体１０に興味を持ち、ひいては、広告表示体１０の宣伝対象の商品にも興味を持つ。
【００３１】
広告表示体１０は、ケーシング１３の上面部１３ａに宣伝対象の商品を載せて、例えば、鉛直方向に複数の段を備える陳列棚に商品とともに配置される。このような場合、広告表示体１０を設置する高さに応じて、画像反射体１５に映される画像を消費者に見やすくするため、画像反射体１５の傾斜角度を調整できることが好ましい。
【００３２】
図７に示す例では、画像反射体１５は、支持体１１の本体１１ｂとは別体で設けた枠体１１ｃに嵌め込まれている。本体１１ｂの両側の側壁部１１ｅの前方部分には、ねじ孔１１ｆが設けられる。枠体１１ｃの両側には、ねじ孔１１ｇが設けられる。ねじ２３は、ねじ孔１１ｆ、ねじ孔１１ｇを貫通する。枠体１１ｃは、両側のねじ２３を緩めることで回動可能となり、両側のねじ２３を締めることで固定される。このように、図７に示す支持体１１では、画像反射体１５の傾斜角度を調整することができる。
図７では、画像反射体１５を任意の傾斜角度に調整することが可能であるが、画像反射体１５が特定の傾斜角度に調整できるような構成でもよい。例えば、広告表示体１０が消費者の足元の高さに設置された場合では１５度、消費者の腹部の高さに設置された場合では３０度、消費者の目線の高さに設置された場合では４５度とする。
【００３３】
図８は、横置きにした広告表示体１０の上に商品を設置している例である。また、図８では、画像表示装置１９は、横書きの文字を反転した文字を表示している。一方、図９は、縦置きにした広告表示体１０の横に商品を設置している例である。図９では、画像表示装置１９は、縦書きの文字を反転した文字を表示している。このように、画像表示装置１９に表示する内容を変更することにより、広告表示体１０を横置き、縦置きの両方で使用することができる。
【００３４】
以上説明したように、本発明の第２の実施形態の広告表示体１０は、画像表示装置１９が消費者に観測されることはなく、消費者は画像が画像反射体１５に表示されている原理をすぐに理解できず、意外性を感じる。従って、消費者に対して広告表示体１０に興味を持たせることができ、ひいては、宣伝対象の商品にも興味を持たせることができる。
また、広告スペースがどのようなサイズであっても既存の画像表示装置１９の一部を表示すれば良いので、広告スペースに合わせた特別な画像表示装置（例えば、細長い形状の画面を持つ画像表示装置、小さい画面を持つ画像表示装置を複数連結したものなど）を準備する必要はなく、コストを抑えることができる。
また、広告表示体１０は横置き、縦置きの両方で使用することでき、更に、設置する場所により画像反射体１５の角度を変えることにより、常に消費者に対して見やすい広告表示をすることができる。
【００３５】
次に、図１０、１１、１２を参照しながら、本発明に係る第３の実施形態の広告表示体３０について説明する。
図１０は、本発明に係る第３の実施形態の広告表示体３０の概要を示す図、図１１は、広告表示体３０を正面から見た図、図１２は、広告表示体３０の図１１のＢ−Ｂの線での断面図である。
【００３６】
図１０、１１に示すように、広告表示体３０は、ケーシング３１と画像反射体３３から構成される。
ケーシング３１は、内部に画像表示装置３５を格納する。尚、第２の実施形態と同じように、ケーシング３１は、放熱用のファンを格納するようにしても良い。
画像表示装置３５は、ケーシング３１の内部に固定される。図示はしていないが、ケーシング３１は、画像表示装置３５の電源ケーブルなどを通す貫通孔を有する。また、第２の実施形態と同じように、背面部は、空気の通り道としてスリットを設けても良い。
ケーシング３１の上面部３１ａには、窓部３１ｂが設けられる。ケーシング３１の正面部、側面部、下面部、背面部は、開口部のない板状部材である。図１１に示すように、広告表示体３０を正面から同じ高さで見ると、離れた位置からでは画像表示装置３５を観測することが出来ない。
ケーシング３１は、消費者が正面から広告表示体３０を見たときに、画像表示装置３５が見えないようにするための遮蔽物の役割を果たす。
【００３７】
画像表示装置３５は、液晶ディスプレイ、プラズマディスプレイ、有機ＥＬディスプレイ等の既存の薄型の画像表示装置で、ケーシング３１の上面部３１ａ側が表示面となるように設置する。画像表示装置３５は、ケーシング３１の窓部３１ｂの領域に対向する画素範囲内に画像を表示する。画像表示装置３５で出力する画像、音声は、ＤＶＤやＵＳＢメモリ等に記憶しておいてもよいし、無線ＬＡＮ等によりネット配信するようにしてもよい。
【００３８】
画像反射体３３は円柱形状で、側面部３３ｂは鏡となっている。宣伝対象の商品は、例えば画像反射体３３の上面部３３ａの上に設置する。
【００３９】
画像表示装置３５に表示される画像は、ケーシング３１の窓部３１ｂを通過して画像反射体３３に反射される。ここで、画像表示装置３５に表示される画像は、いわゆる「アナモルフォシス画像」（実開昭６２−１３９５９８号公報を参照）である。アナモルフォシスとは、歪んだ画像を円筒形状の物体に投影したり角度を変えてみたりすることで、正常な形（正則画像）が見えるようになるデザイン技法のことである。ここでのアナモルフォシス画像は、このデザイン技法によって、画像反射体３３に正則画像が映るように計算されたものである。画像表示装置３５に表示されるアナモルフォシス画像は、ケーシング３１の窓部３１ｂを通過して画像反射体３３に反射される。広告表示体３０を正面から見た消費者は、正則画像を観測することができる。
【００４０】
図１０〜図１２に示す例では、画像表示装置３５は、「新発売！！省エネ５０％実現！」という文字のアナモルフォシス画像を表示している。この場合、広告表示体３０を正面から見た消費者は、「新発売！！省エネ５０％実現！」という文字の正則画像を観測することができる。
画像表示装置３５は、アナモルフォシス画像を画面上で移動させながら表示するようにしても良い。この場合、広告表示体３０を正面から見た消費者は、正則画像が画像反射体３３の側面部３３ｂを移動していく様子を観測することができる。
【００４１】
前述の通り、画像表示装置３５はケーシング３１の正面部、側面部が開口部のない板状部材で構成されるので、消費者は離れた位置から画像表示装置３５を観測することができない。従って、広告表示体３０を見た消費者は、画像が画像反射体３３に表示されている原理をすぐに理解できず、意外性を感じる。そして、消費者は広告表示体３０に興味を持ち、ひいては、広告表示体３０の宣伝対象の商品にも興味を持つ。
【００４２】
図１１に示すようにケーシング３１の窓部３１ｂの形状が半円状の場合、図１２に示すように、ケーシング３１の窓部３１ｂは、透明なプラスチック、ガラスのように光を透過する透過体３７とする。この場合、画像反射体３３は透過体３７に載せる。これは、画像表示装置３５の画面上に画像反射体３３を載せることを避けるためである。
【００４３】
一方、図１１に示した例と異なり、ケーシング３１の窓部３１ｂの形状を半ドーナッツ状とする場合（ドーナッツの中心部は板状部材とする場合）、ケーシング３１の窓部３１ｂは部材のない開口部としても良い。この場合、画像反射体３３はドーナッツの中心部（板状部材とした領域）に載せることができるので、画像表示装置３５の画面上に画像反射体３３を載せることを避けることができる。
【００４４】
以上説明したように、本発明の第３の実施形態の広告表示体３０では、消費者は画像が画像反射体３３に表示されている原理をすぐに理解できず、意外性を感じる。従って、消費者に対して広告表示３０に興味を持たせることができ、ひいては、宣伝対象の商品にも興味を持たせることができる。特に、本発明の第３の実施形態の広告表示体３０では、消費者が広告表示体３０に近づいて上方から見ることで、ケーシング３１の上面部３１ａに設けられた窓部３１ｂから、画像表示装置３５に表示されているアナモルフォシス画像を直接観測することができる。そして、消費者は、画像表示装置３５に表示されているアナモルフォシス画像と、画像反射体３３に映る正則画像とを対比して観測することで、更なる意外性を感じる。これによって、画像反射体３３の上面部３３ａに載せられた宣伝対象の商品とともに、消費者に対して強烈な印象を与えることができる。
【００４５】
次に、図１３、１４、１５、１６、１７を参照しながら、本発明に係る第４の実施形態の広告表示体４０について説明する。
図１３は、本発明に係る第４の実施形態の広告表示体４０の概要を示す図、図１４は、広告表示体４０の図１３のＡ−Ａの線での断面図、図１５は、広告表示体４０を背面部４９から見た図、図１６は、広告表示体４０の傾斜角度調整機構の一例を示す図、図１７は、広告表示体４０ａの図１３のＡ−Ａの線での断面図である。
【００４６】
図１３、図１４に示すように、広告表示体４０は、ケーシング４１から構成される。ケーシング４１は、内部に画像表示装置４５、第１の画像反射体４６、第２の画像反射体４７、透過体４８、ファン４９を格納する。画像表示装置４５、透過体４８、ファン４９は、ケーシング４１の内部に固定される。ケーシング４１の上面部には商品を設置する場合もあるので、ケーシング４１は十分な耐荷重を持つ材料で形成されることが望ましい。図示はしていないが、ケーシング４１は、画像表示装置４５とファン４９の電源ケーブルなどを通す貫通孔を有する。
【００４７】
ケーシング４１の上面部、下面部、側面部４４ａ、４４ｂは、開口部のない板状部材である。ケーシング４１の正面部４２は、第１の画像６１、第２の画像６２を観測できるように、窓部４３が形成されている。窓部４３は、正面から画像表示装置４５が視認されないように、画像表示装置４５が設置される高さと異なる高さに形成される。ケーシング４１の背面部４３は、空気の通り道として、開口部５０が形成されている。
ケーシング４１は、消費者が正面から広告表示体４０を見たときに、画像表示装置４５を見えないようにするための遮蔽物の役割を果たす。
【００４８】
画像表示装置４５は、液晶ディスプレイ、プラズマディスプレイ、有機ＥＬディスプレイ等の既存の薄型の画像表示装置で、ケーシング４１の上面部側が表示面５１となるように設置する。画像表示装置４５によって出力する画像、音声は、ＤＶＤやＵＳＢメモリ等に記憶しておいてもよいし、無線ＬＡＮ等によりネット配信するようにしてもよい。
【００４９】
画像表示装置４５の放熱のため、ケーシング４１内にファン４９を設置する。図１５に示すように、空気の通り道として、ケーシング４１の背面部４３には、画像表示装置４５、ファン４９と同等の高さに一定の幅を有する開口部５０を設ける。
【００５０】
透過体４８は、例えば、透明のアクリル板であり、画像表示装置４５に表示される画像を透過する。透過体４８は、第１の画像反射体４６、第２の画像反射体４７の落下などから、画像表示装置４５の表示面５１を保護する役割を果たす。
【００５１】
透過体４８の上部には、平面形状の第１の画像反射体４６と第２の画像反射体４７が回転可能に設置される。第１の画像反射体４６、第２の画像反射体４７の水平面に対する傾斜角度は、略同一となるように調整される。
第１の画像反射体４６は、第２の実施形態における画像反射体１５と同様であり、画像表示装置４５に表示される画像を窓部４３から観測される方向に反射する。
第２の画像反射体４７は、いわゆるハーフミラーであり、画像表示装置４５に表示される画像を窓部４３から観測される方向に反射するとともに、第１の画像反射体４６が反射する画像を透過する。ハーフミラーは、公知のもので良く、透過率および反射率は、ケーシング１３の内部の明るさ、広告表示体４０が設置される環境に応じて適宜決められる。
【００５２】
画像表示装置４５は、消費者に見せたい２つの画像の逆像を、第１の画像反射体４６と第２の画像反射体４７に対向する一部の画素範囲内にそれぞれ表示する。
例えば、画像表示装置４５が、第１の画像反射体４６に対向する一部の画素範囲内に第１の画像６１の逆像を表示するとともに、第２の画像反射体４７に対向する一部の画素範囲内に第２の画像６２の逆像を表示すると、図１３のように、広告表示体４０の正面部４２に設けられる窓部４３から、第１の画像６１に重畳された第２の画像６２が観測される。
図１３に示す第１の画像６１は、第２の画像６２に比べて奥に観測されるので、第１の画像６１と第２の画像６２を合わせた画像は、奥行き感のある画像となる。
【００５３】
画像表示装置４５は、消費者に見せたい画像の逆像を画面上で移動させながら表示するようにしても良い。例えば、第１の画像６１の逆像と第２の画像６２の逆像を反対方向にそれぞれ移動させると、広告表示体４０を正面から見た消費者は、自動車（第２の画像６２）が、背景（第１の画像６１）の前を疾走する様子を観測することができる。
【００５４】
前述の通り、画像表示装置４５はケーシング４１の内部に格納され、ケーシング４１の上面部、下面部、側面部４４ａ、４４ｂが開口部のない板状部材で構成され、正面部４２の窓部４３は、正面から画像表示装置４５が視認されないように形成されるので、消費者は画像表示装置４５を観測することができない。従って、広告表示体４０を見た消費者は、画像が第１の画像反射体４６、第２の画像反射体４７に表示されている原理をすぐに理解できず、意外性を感じる。更に、第２の画像反射体４７は、画像表示装置４５に表示される画像を反射するとともに、第１の画像反射体４６が反射する画像を透過するので、窓部４３から観測される画像は、奥行き感のある画像となる。これによって、消費者は広告表示体４０に興味を持ち、ひいては、広告表示体４０の宣伝対象の商品にも興味を持つ。
尚、広告表示体４０は、第２の実施の形態における広告表示体１０と同じように、横置き、縦置きの両方で使用することができる。
【００５５】
広告表示体４０は、ケーシング４１の上面部に宣伝対象の商品を載せて、例えば、鉛直方向に複数の段を備える陳列棚に商品とともに配置される。このような場合、広告表示体４０を設置する高さに応じて、窓部４３から観測される画像を消費者に見やすくするため、第１の画像反射体４６、第２の画像反射体４７の水平面に対する傾斜角度を調整できることが好ましい。
【００５６】
図１６に示す例では、第１の画像反射体４６、第２の画像反射体４７は、ケーシング４１の本体とは別体で設けた第１の枠体７１、第２の枠体７２にそれぞれ嵌め込まれている。
【００５７】
第１の枠体７１と第２の枠体７２は、連結体７４ａ、７４ｂによって連結されている。連結体７４ａ、７４ｂは、第１の枠体７１、第２の枠体７２の上部の両端において、ケーシング４１の前後方向に摺動可能に取り付けられる。連結体７４ａ、７４ｂが取り付けられる箇所が、可動部７５ａ、７５ｂ、７５ｃ、７５ｄである。
【００５８】
第１の枠体７１の両端の中央部には回転軸７６ａ、７６ｂが設けられ、ケーシング４１の本体に対して回転可能に取り付けられる。また、第２の枠体７２の両端の中央部には角度調整部７３ａ、７３ｂが設けられ、ケーシング４１の本体に対して回転可能に取り付けられる。角度調整部７３ａ、７３ｂは、第２の実施の形態におけるねじ孔１１ｇと同様である。ケーシング４１の本体の側面部４４ａ、４４ｂの対応する箇所には、第２の実施の形態におけるねじ孔１１ｆが設けられる。また、第２の実施の形態におけるねじ２３によって、ねじ孔１１ｆ、ねじ孔１１ｇが貫通される。第２の枠体７２は、両側のねじ２３を緩めることで回転可能となり、両側のねじ２３を締めることで固定される。このように、図１６に示す第２の画像反射体４７の傾斜角度を調整することができる。更に、第１の枠体７１と第２の枠体７２が、前述の通りに連結されているので、第１の画像反射体４６の傾斜角度も、第２の画像反射体４７の傾斜角度と略同一となるように調整することができる。
【００５９】
図１６では、第１の画像反射体４６、第２の画像反射体４７を任意の傾斜角度に調整することが可能であるが、第１の画像反射体４６、第２の画像反射体４７が特定の傾斜角度に調整できるような構成でもよい。例えば、広告表示体４０が消費者の足元の高さに設置された場合では１５度、消費者の腹部の高さに設置された場合では３０度、消費者の目線の高さに設置された場合では４５度とする。
【００６０】
図１４に示す広告表示体４０では、第１の画像反射体４６、第２の画像反射体４７が設けられているが、画像反射体の数はこれに限定されるわけではない。
図１７に示す広告表示体４０ａに示すように、２つの第２の画像反射体４７ａ、４７ｂを設けるようにしても良い。ここで、図１７に示す第１の画像反射体４６は、第２の実施形態における画像反射体１５と同様であり、画像表示装置４５に表示される画像を反射する。また、２つの第２の画像反射体４７ａ、４７ｂは、いわゆるハーフミラーである。第２の画像反射体４７ａは、画像表示装置４５に表示される画像を反射するとともに、第１の画像反射体４６が反射する画像を透過する。また、第２の画像反射体４７ｂは、画像表示装置４５に表示される画像を反射するとともに、第１の画像反射体４６および第２の画像反射体４７ａが反射する画像を透過する。
広告表示体４０ａにおける画像表示装置４５は、消費者に見せたい３つの画像の逆像を、第１の画像反射体４６、第２の画像反射体４７ａ、第２の画像反射体４７ｂに対向する一部の画素範囲内にそれぞれ表示する。
【００６１】
広告表示体４０ａでは、広告表示体４０ａの正面部４２に設けられる窓部４３から、第１の画像反射体４６が反射する画像、第２の画像反射体４７ａが反射する画像、第２の画像反射体４７ｂが反射する画像の３つの画像が重畳された画像が観測されるので、従来にはない意匠性の高い画像を消費者に見せることができる。従って、消費者に対して広告表示体４０ａに興味を持たせることができ、ひいては、宣伝対象の商品にも興味を持たせることができる。
【００６２】
以上、添付図面を参照しながら、本発明に係る広告表示体の好適な実施形態について説明したが、本発明は係る例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【００６３】
１、１０、３０、４０、４０ａ………広告表示体
３………看板
５、１９、３５、４５………画像表示装置
７………設置台
１１………支持体
１３、３１、４１………ケーシング
１５、３３………画像反射体
４６………第１の画像反射体
４７、４７ａ、４７ｂ………第２の画像反射体
２１、４９………ファン
２３………ねじ
３７、４８………透過体
【図１】
2011085884.tif 000003
【図２】
2011085884.tif 000004
【図３】
2011085884.tif 000005
【図４】
2011085884.tif 000006
【図５】
2011085884.tif 000007
【図６】
2011085884.tif 000008
【図７】
2011085884.tif 000009
【図８】
2011085884.tif 000010
【図９】
2011085884.tif 000011
【図１０】
2011085884.tif 000012
【図１１】
2011085884.tif 000013
【図１２】
2011085884.tif 000014
【図１３】
2011085884.tif 000015
【図１４】
2011085884.tif 000016
【図１５】
2011085884.tif 000017
【図１６】
2011085884.tif 000018
【図１７】
2011085884.tif 000019